(57)【要約】【課題】マスク検査装置で得られるデータの信頼性、及び露光装置による露光精度を向上させることができるマスク検査方法及びマスク検査装置を提供する。【解決手段】マスク検査装置のチャック９１ｂ吸着面９１ｃが下向になっており、この面９１ｃにマスク９０の保持部５０の上面５０ａが吸着により保持される。このとき、マスクのパターン面９０ａは上向きになる。マスク検査時と露光時とで、マスク９０は同一の面が吸着されるので、マスク検査装置でのマスク９０と露光装置でのマスク１０とで、保持状態を同じにできる。【選択図】　　　　図１
2004094068.tif 000002
【特許請求の範囲】
【請求項１】
感応基板上に露光転写すべきデバイスパターンが形成されたパターン面、該パターン面を補強する支持体層、及び、該支持体層の周囲に設けられた保持部からなるマスク上のパターンの位置及び／又は欠陥を検査する方法であって、
前記保持部の露光装置で保持される面を保持し、
該露光装置内での該マスクの保持状態とは重力方向が逆となる状態で該マスクを保持しながら検査を行うことを特徴とするマスク検査方法。
【請求項２】
前記マスクの前記保持部を保持するマスク検査装置の保持面形状が、前記露光装置の保持面形状とほぼ同じであり、
両保持面の保持力がほぼ同じであることを特徴とする請求項１に記載のマスク検査方法。
【請求項３】
前記露光装置内での前記マスクの保持状態とは重力方向が逆の状態で該マスクを保持しながら検査を行う際に、該マスクの重力によるたわみに起因する前記パターン面の位置座標の誤差を予測計算しておき、該誤差を補正することを特徴とする請求項１に記載のマスク検査方法。
【請求項４】
前記露光装置内での前記マスクの保持状態とは重力方向が逆の状態で該マスクを保持しながら検査を行う際に、該マスクの重力によるたわみに起因する前記パターン面の位置座標の誤差を、該マスクと同形状の他のマスクで予め計測しておいた誤差計測結果に基いて補正することを特徴とする請求項１に記載のマスク検査方法。
【請求項５】
感応基板上に露光転写すべきデバイスパターンが形成されたパターン面、該パターン面を補強する支持体層、及び、該支持体層の周囲に設けられた保持部からなるマスク上のパターンの位置及び／又は欠陥を検査する方法であって、
前記保持部の露光装置で保持される面と同一の面を、該露光装置内での保持状態と重力方向が同じ状態で保持しつつ検査を行うことを特徴とするマスク検査方法。
【請求項６】
感応基板上に露光転写すべきデバイスパターンが形成されたマスク上のパターンの位置及び／又は欠陥を検査する装置であって、
該マスクは、前記パターンの形成されたパターン面と、該パターン面を機械的に支持する支持体層と、該支持体層の周囲に設けられている保持部と、を有し、該保持部の露光装置で保持される面と同一の面を、該露光装置内での保持状態と重力方向が逆の状態で保持する保持手段と、
前記マスクの前記パターンの像を取得してこれを処理する検査手段と、
を備えることを特徴とするマスク検査装置。
【請求項７】
感応基板上に露光転写すべきデバイスパターンが形成されたマスク上のパターンの位置及び／又は欠陥を検査する装置であって、
該マスクは、前記パターンの形成されたパターン面と、該パターン面を機械的に支持する支持体層と、該支持体層の周囲に設けられている保持部と、を有し、該保持部の露光装置で保持される面と同一の面を、該露光装置内での保持状態と重力方向が同じ状態で保持する保持手段と、
前記マスクの前記パターンの像を取得してこれを処理する検査手段と、
を備えることを特徴とするマスク検査装置。
【発明の詳細な説明】
【０００１】
【発明の属する技術分野】
本発明は、半導体デバイス等の原版パターンを有するマスクの検査方法及びマスク検査装置に関する。特には、露光装置へのセット状態に近似した状態においてパターン位置等を検査するマスク検査方法に関する。
【０００２】
【従来の技術】
半導体集積回路等のリソグラフィ工程では、マスク上に形成されたパターンを露光装置を用いてウェハ（感応基板）上に露光転写する。ここで、マスクのパターンに欠陥や歪みがあると、転写露光したパターンの位置や形状の正確さ（露光精度）が低下する。このような事態となるのを防ぐため、露光装置に用いるマスクのパターン位置座標精度や欠陥、歪みについて検査し、不良の生じているマスクを排除するようにしている。あるいは、可能な場合は、何らかの補正・修正を行っている。
【０００３】
ところで、デバイスパターンのさらなる微細化に対応すべく、電子線露光によるウェハ量産技術の開発が進められているが、電子線露光におけるマスク（レチクル）の構造は光露光用のマスクと異なり、それに伴うマスク検査上の課題がある。ここで、まず、ウェハの量産露光に適用が可能と考えられている分割転写式の電子線投影露光技術について説明する。
なお、本明細書では、図に示される露光装置又はマスク検査装置に対し、図の下から重力が作用するものとして説明する。
【０００４】
図４は、分割転写方式の電子線投影露光装置の光学系全体における結像関係及び制御系を示す図である。光学系の最上流に配置される電子銃１は、下方に向けて電子線を照射する。電子線１の下方にはコンデンサレンズ２，３が備えられており、電子線はこれらのコンデンサレンズ２，３によって収束されブランキンク開口７にクロスオーバーｃ．ｏ．を結像する。
【０００５】
コンデンサレンズ３の下には、矩形開口４が備えられている。この矩形開口（照射ビーム形成開口）４は、レチクル（マスク）１０の一つのサブフィールド（露光の１単位となるパターン小領域）を照射する照明ビームのみを通過させる。この開口４の像は、レンズ９によってレチクル１０に結像される。
【０００６】
ビーム成形開口４の下方には、ブランキング偏光器５が配置されている。偏光器５は、必要時に照明ビームを偏向させてブランキング開口７の非開口部に当て、ビームがレチクル１０に当たらないようにする。
【０００７】
ブランキング開口７の下には、照明ビーム偏向器８が配置されている。この偏向器８は、主に照明ビームを図４の横方向（Ｘ方向）に順次走査して、照明光学系の視野内にあるレチクル１０のサブフィールドの照明を行う。偏向器８の下方には、照明レンズ９が配置されている。照明レンズ９は、レチクル１０上にビーム成形開口４を結像させる。
【０００８】
レチクル１０は、実際には光軸垂直面内（Ｘ−Ｙ面）に広がっており（図５を参照しつつ後述）、多数のサブフィールドを有する。レチクル１０上には、全体として一個の半導体デバイスチップをなすパターン（チップパターン）が形成されている。レチクル１０は、移動可能なレチクルステージ１１上に保持される。レチクル１０をレチクルステージ１１上で光軸垂直方向（ＸＹ方向）に動かすことにより、照明光学系の視野よりも広い範囲に広がるレチクル上の各サブフィールドを照明することができる。
【０００９】
レチクルステージ１１には、レーザ干渉計を用いた位置検出器１２が付設されており、レチクルステージ１１の位置をリアルタイムで正確に把握することができる。
レチクルステージ１１の下方には、投影レンズ１５及び１９を含む投影光学系が設けられている。レチクル１０の一つのサブフィールドを通過した電子線は、投影レンズ１５、１９、偏向器１６によってウェハ２３上の所定の位置に結像される。ウェハ２３上には適当なレジストが塗布されており、レジストに電子線のドーズが与えられ、レチクル上のパターンが縮小されてウェハ２３上に転写される。
【００１０】
レチクル１０とウェハ２３の間を縮小比率で内分する点にクロスオーバーｃ．ｏ．が形成され、同クロスオーバー位置にはコントラスト開口１８が設けられている。コントラスト開口１８は、レチクル１０の非パターン部で散乱された電子線がウェハ２３に到達しないように遮断する。
【００１１】
ウェハ２３の直上には反射電子検出器２２が配置されている。反射電子検出器２２は、ウェハ２３の被露光面や、ステージ上のマークで反射される電子の量を検出する。例えばレチクル１０上のマークパターンを通過したビームでウェハ２３上のマークを走査し、その際のマークからの反射電子を検出することにより、レチクル１０とウェハ２３との相対的位置関係を知ることができる。
【００１２】
ウェハ２３は、図示せぬ静電チャックを介して、ＸＹ方向に移動可能なウェハステージ上２４に載置されている。上記レチクルステージ１１とウェハステージ２４とを、互いに逆の方向に同期走査することにより、投影光学系の視野を越えて広がるチップパターン内の各部を順次露光することができる。なお、ウェハステージ２４上にも、上述のレチクルステージ１１と同様の位置検出器２５が装備されている。
【００１３】
上記各レンズ２，３，９，１５，１９及び各偏向器５，８，１６は、各々のコイル電源制御部２ａ，３ａ，９ａ，１５ａ，１９ａ及び５ａ，８ａ，１６ａを介してコントローラ３１により制御される。また、レチクルステージ１１及びウェハステージ２４も、ステージ制御部１１ａ、２４ａを介して、コントローラ３１により制御される。ステージ位置検出器１２，２５は、アンプやＡ／Ｄ変換器等を含むインターフェイス１２ａ、２５ａを介してコントローラ３１に信号を送る。また、反射電子検出器２２も同様のインターフェイス２２ａを介してコントローラ３１に信号を送る。
【００１４】
コントローラ３１は、ステージ位置の制御誤差や投影ビームの位置誤差を把握し、その誤差を像位置調整偏向器１６で補正する。これによりレチクル１０上のサブフィールドの縮小像がウェハ２３上の目標位置に正確に転写される。そして、ウェハ２３上で各サブフィールド像がつなぎ合わされて、レチクル上のチップパターン全体がウェハに転写される。
【００１５】
次に分割転写方式の電子線投影露光に用いられるレチクルについて図５を参照しつつ説明する。
図５は、電子線投影露光用のレチクルの構成例を模式的に示す図である。（Ａ）は全体の平面図であり、（Ｂ）は一部の斜視図であり、（Ｃ）は一つの小メンブレン領域の平面図である。このようなレチクルは、例えばシリコンウェハに電子線描画・エッチングを行うことにより製作できる。
【００１６】
図５（Ａ）には、レチクル１０における全体のパターン分割配置状態が示されている。同図中に多数の正方形４１で示される領域が、一つのサブフィールドに対応したパターン領域を含む小メンブレン領域である。同領域４１の厚さは、例えば１〜２μｍである。図５（Ｃ）に示すように、小メンブレン領域４１は、中央部のパターン領域（サブフィールド）４２と、その周囲の額縁状の非パターン領域（スカート）４３とからなる。サブフィールド４２は、転写すべきパターンの形成された部分である。スカート４３はパターンの形成されていない部分であり、照明ビームの縁の部分が当たる。パターン形成の形態としては、メンブレンに孔明き部を設けるステンシルタイプと、電子線の高散乱体からなるパターン層をメンブレン上に形成する散乱メンブレンタイプとがある。このメンブレン領域４１の下面が本明細書にいうパターン面である。
【００１７】
小メンブレン領域４１の周囲の直交する格子状のグリレージ（マイナーストラット，本明細書でいう支持体層）４５と呼ばれる部分は、レチクルの機械強度を保つための梁である。グリレージ４５の厚さは、例えば０．７ｍｍである。上述のメンブレン小領域４１は、グリレージ４５の下端と同一のレベルで広がっている。図５（Ａ）に示すように、図の横方向（Ｘ方向）に多数の小メンブレン領域４１が並んで一つのグループ（エレクトリカルストライプ４４）をなし、そのようなエレクトリカルストライプ４４が図の縦方向（Ｙ方向）に多数並んで１つのメカニカルストライプ４９を形成している。エレクトリカルストライプ４４の長さ（メカニカルストライプ４９の幅）は照明光学系の偏向可能視野の大きさによって制限される。
【００１８】
メカニカルストライプ４９は、Ｘ方向に並列に複数存在する。隣り合うメカニカルストライプ４９の間に示されている幅の太い梁は、レチクル全体のたわみを小さく保つためのストラット（メジャーストラット，支持体層）４７である。ストラット４７はグリレージ４５と一体である。レチクル１０の外周縁部５０は円形であり、グリレージ４５やストラット４７と同じ厚さである。この該周縁部５０が、レチクルステージ１１上でレチクル保持装置（チャック）１１ａ（図６参照）に保持する保持部５０である。
【００１９】
次に、レチクル（マスク）１０のレチクルステージ１１への取り付け方の詳細について、図６を参照しつつ説明する。図６には、電子線露光装置内のレチクルステージ１１に保持されたマスク１０と、投影光学系２６が概略的に示されている。
【００２０】
レチクルステージ１１にはマスク保持装置１１ｂが設けられている。マスク保持装置１１ｂは、例えば、リング形状の静電吸着チャックである。このマスク保持装置（以下、チャックともいう）１１ｂの保持面（上面）１１ｃにマスク１０の保持部（外周縁部）５０の下面５０ａが静電吸着される。この面５０ａを露光装置のチャック１１ｂへの吸着面（保持面）５０ａという。露光装置での保持状態において、マスク１０のパターン面（小メンブレン領域４１の下面）１０ａは下向きとなっている。
【００２１】
これは、以下の理由による。通常、露光装置内では、マスク１０が上方に、ウェハ２３が下方に位置する。ここで、マスク１０のパターン面１０ａを上向き、すなわちグリレージやストラット（支持体層）を下向きに保持すると、小メンブレン領域４１を通過したパターンビームがグリレージやストラットの脇を通ることになる。すると、ビームがグリレージやストラットの帯電による影響を受け、ビーム偏向するおそれがある。そこで、パターンビームが上記支持体層の影響を受けないようにするため、パターン面１０ａが下向きにされるのである。
【００２２】
次に、マスク１０の検査について説明する。
図３は、従来より用いられているマスク検査装置を概略的に示す模式図である。このマスク検査装置は、ＸＹステージ７１や、ＸＹステージ７１上にマスク１０を保持するマスク保持装置（チャック）７１ｂや、マスク１０のパターン面１０ａの像を取得して検査する検査光学系を有する。該検査光学系は、対物レンズ７２やマスク１０からの反射光を検出する検出器７３を含む。
【００２３】
検査対象であるマスク１０は、ＸＹステージ７１上に設けられたマスク保持装置（チャック）７１ｂの保持面（上面）７１ｃに、マスク１０の保持部５０のこの状態における下面５０ｂが静電吸着される。この保持される面５０ｂをマスク検査装置のチャック７１ｂへの吸着面５０ｂという。マスク検査装置での保持状態において、マスク１０のパターン面（小メンブレン領域４１の下面）１０ａは、上向きとなっている。これは、露光時にパターン面１０ａを下向きにして、露光装置のチャック１１ｂへの吸着面５０ａを静電吸着していたのと異なる。
【００２４】
次に、マスクの検査方法を簡単に説明する。図示せぬ光源から発射された半導体レーザーをマスク１０のパターン面１０ａ上でフォーカスさせる。マスク１０からの反射光は、対物レンズ７２を通じて検出器７３で検出される。検出器７３からの信号が信号処理回路等で画像処理される。さらには、予め記憶部に記憶されているパターンに関するデータと比較されてマスク１０のパターン位置座標精度や欠陥等の検査が行われる。この程の検査技術の詳細については、例えば、特開平８−２３４８４公報において、対象物を光電的に測定／検査するための装置が記載されている。また、特許２９０３０４３公報には、マスク等の構造物表面を検査するため画像構造のリアルタイムでの認識技術について開示されている。
【００２５】
【発明が解決しようとする課題】
上記のようなマスク検査装置におけるマスクの保持状態は、露光装置におけるマスクの保持状態と上下逆向きである。すなわち、マスク検査装置においては、マスクのパターン面が上向きにされる。一方、露光装置においては、上述したように、マスク１０はそのパターン面が下向きにされる。
【００２６】
そして、露光時と検査時とで、保持装置が支持（吸着）するマスクの面が異なる（検査時はマスクの支持体層側の面が、露光時はパターン面側の面が吸着される）。そのため、各々の状態でマスク（マスク基板）の歪みが異なり、マスク上のパターンの位置座標に大きな影響を及ぼす。
【００２７】
本発明の目的は、マスク検査装置で得られるデータの信頼性を向上させ、露光装置による露光精度を改善できるマスク検査方法及びマスク検査装置を提供することにある。
【００２８】
【課題を解決するための手段】
上記課題を解決するため、本発明のマスク検査方法は、感応基板上に露光転写すべきデバイスパターンが形成されたパターン面、該パターン面を補強する支持体層、及び、該支持体層の周囲に設けられた保持部からなるマスク上のパターンの位置及び／又は欠陥を検査する方法であって、　前記保持部の露光装置で保持される面を保持し、該露光装置内での該マスクの保持状態とは重力方向が逆となる状態で該マスクを保持しながら検査を行うことを特徴とする。
【００２９】
マスク保持部における、露光装置で保持される面と同一の面を検査時にも保持するので、マスク検査装置でのマスクの保持状態と、露光装置内での保持状態とが従来よりも近似した状態となる。
【００３０】
なお、「重力方向が逆となる状態で」とは、マスク検査装置内に保持されるマスクの姿勢が、露光装置内に保持される状態に対して裏返しになることを意味する。このため、重力によるマスクのたわみの方向が検査時と露光時とで逆方向となる。しかし、本発明ではマスクの保持される面は同じであるため、変形解析等の結果から重力方向の違いによるマスク上のパターンの位置座標変化は予測可能である。そして、予測したパターンの位置変化を補正することにより、露光装置に保持した状態におけるパターンの位置座標をほぼ正確に知ることが可能である。
【００３１】
本発明のマスク検査方法では、前記マスクの前記保持部を保持するマスク検査装置の保持面形状が、前記露光装置の保持面形状とほぼ同じであり、両保持面の保持力がほぼ同じであることが好ましい。
【００３２】
この場合、マスク検査装置内に保持された該マスクの歪みと露光装置内に保持された該マスクの歪みとの差を、より少なくすることができる。
【００３３】
本発明のマスク検査方法では、前記露光装置内での前記マスクの保持状態とは重力方向が逆の状態で該マスクを保持しながら検査を行う際に、該マスクの重力によるたわみに起因する前記パターン面の位置座標の誤差を予測計算しておき、該誤差を補正することが好ましい。
【００３４】
通常、マスク検査装置内でのマスクの保持状態は、露光装置内でのマスクの保持状態と比べて、重力方向に対して上下逆である。そのため、重力による該マスクのたわみの変化量（マスクの基板変形量）が検査時と露光時とで異なる。これにより、例えば、両者でマスクのパターン間の寸法が変わってくる。そこで、重力によるたわみに起因する前記パターン面の位置座標の誤差を予測計算しておいて、得られた誤差の計算値に基いて、検査時に計測したパターン面の位置座標を補正する。これにより、検査時と露光時とでたわみの差に伴うパターン位置座標の偏差が無くなり、マスク検査で得られるデータの信頼性が向上する。
【００３５】
本発明のマスク検査方法では、前記露光装置内での前記マスクの保持状態とは重力方向が逆の状態で該マスクを保持しながら検査を行う際に、該マスクの重力によるたわみに起因する前記パターン面の位置座標の誤差を、該マスクと同形状の他のマスクで予め計測しておいた誤差計測結果に基いて補正することも好ましい。
【００３６】
同形状の他のマスクで、パターン面を上にした状態と下にした状態の両方の状態における重力によるたわみ量を予め計測する。この計測された結果（誤差計測結果）に基いて、検査時に計測したパターン面の位置座標を補正してもよい。
【００３７】
本発明のマスク検査方法は、感応基板上に露光転写すべきデバイスパターンが形成されたパターン面、該パターン面を補強する支持体層、及び、該支持体層の周囲に設けられた保持部からなるマスク上のパターンの位置及び／又は欠陥を検査する方法であって、　前記保持部の露光装置で保持される面と同一の面を、該露光装置内での保持状態と重力方向が同じ状態で保持しつつ検査を行うことを特徴とする。
【００３８】
この場合、検査時と露光時とでマスクの保持状態が同じであるので、マスクの重力によるたわみの量（基板変形量）が同じとなる。そのため、露光装置に該マスクが保持された状態と極めて近似した状態で、マスクの検査を行うことができる。よって、マスク検査で得られるデータの信頼性が一層向上する。
【００３９】
本発明のマスク検査装置は、感応基板上に露光転写すべきデバイスパターンが形成されたマスク上のパターンの位置及び／又は欠陥を検査する装置であって、該マスクは、前記パターンの形成されたパターン面と、該パターン面を機械的に支持する支持体層と、該支持体層の周囲に設けられている保持部と、を有し、該保持部の露光装置で保持される面と同一の面を、該露光装置内での保持状態と重力方向が逆の状態で保持する保持手段と、前記マスクの前記パターンの像を取得してこれを処理する検査手段と、を備えることを特徴とする。
【００４０】
本発明の他のマスク検査装置は、感応基板上に露光転写すべきデバイスパターンが形成されたマスク上のパターンの位置及び／又は欠陥を検査する装置であって、該マスクは、前記パターンの形成されたパターン面と、該パターン面を機械的に支持する支持体層と、該支持体層の周囲に設けられている保持部と、を有し、該保持部の露光装置で保持される面と同一の面を、該露光装置内での保持状態と重力方向が同じ状態で保持する保持手段と、前記マスクの前記パターンの像を取得してこれを処理する検査手段と、を備えることを特徴とする。
【００４１】
【発明の実施の形態】
以下、図面を参照しつつ説明する。
図１は、本発明の第一の実施形態にかかるマスク検査装置を概略的に示す図である。このマスク検査装置は、ＸＹステージ９１上にマスク９０を保持するマスク保持装置（チャック）９１ｂと、マスク９０のパターン面９０ａの像を取得してこれを処理する検査手段（レンズ９２，検出器９３等）とを備える。ＸＹステージ９１は、ＸＹ方向（水平面内）に移動可能である。マスク保持装置９１ｂは、例えばリング形状の静電吸着チャックであり、ＸＹステージ９１に設けられている。検査手段は、マスク保持装置９１ｂの上方に設けられており、レンズ９２や検出器９３を含んでいる。レンズ９２は、図示せぬ光源からレーザー等の光をマスク９０のパターン面９０ａにフォーカスさせる。検出器９３は、パターン面９０ａからの反射光を検出する。検出器９３は、例えばＣＣＤカメラやフォトダイオードである。検査手段の詳細については、前述の公報を参照されたい。
【００４２】
検査対象であるマスク９０は、パターンが形成されたパターン面９０ａと、パターン面９０ａを機械的に支持する支持体層（ストラット４７，図５参照）と、支持体層４７の周囲に設けられている保持部５０とを有する。
【００４３】
この検査装置の特徴は、マスク保持装置（以下、チャックともいう）９１ｂの保持面（吸着面）９１ｃが下向になっており、この面９１ｃにマスク９０の保持部（外周縁部）５０の上面５０ａが吸着されることである。つまり、マスク９０は、チャック９１ｂの下に吊り下げられるように保持される。これにより、マスク検査装置におけるマスク９０は、前述した露光装置（図６参照）におけるマスク１０と裏表が逆にもかかわらず、同一の面が吸着される。上述の保持される面５０ａをマスク検査装置のチャック９１ｂへの吸着面（保持面）５０ａという。このマスク検査装置での保持状態において、マスク９０のパターン面９０ａは上向き（露光時と逆）となっている。
【００４４】
また、マスク検査装置の保持面９１ｃの形状と、露光装置の保持面１１ｃの形状とはほぼ同じであり、さらに、両保持面１１ｃ，９１ｃの保持力はほぼ同じである。そのため、マスク検査装置で保持されるマスク９０の歪みと露光装置で保持されるマスク１０の歪みとの差は、最小限に抑えられる。
【００４５】
第一の実施の形態では、マスク９０は、露光装置でのマスク１０と比べて、重力方向が上下逆となる状態で保持される。そのため、重力によりマスク９０がたわむ方向は、露光時のマスク１０がたわむ方向と逆である。しかし、検査装置でのマスク９０と露光装置でのマスク１０とで、同一の面を保持（吸着）するので、保持力に起因する歪み状態はほぼ同じにできる。
【００４６】
次に、図１のマスク検査装置におけるマスク検査方法について説明する。
マスク９０は、パターン面９０ａを上にして、マスク検査装置のチャック９１ｂに吸着させる。その後、図示せぬ光源から半導体レーザー（一例で、波長９０４ｎｍ）を発射し、対物レンズ９２を介してマスク１０のパターン面９０ａ上にフォーカスさせる。マスク９０からの反射光は、対物レンズ９２を通じてＣＣＤカメラ等の検出器９３で検出される。検出器９３からの信号は信号処理回路等で画像処理される。そして、ＸＹステージ７１を、Ｘ又はＹ方向に駆動して、マスク１０のＸＹステージ７１上での位置を変える。これにより、マスク上のパターンについて複数箇所の位置座標を求める。なお、この種の検査装置の詳細及び画像処理技術の詳細については、上述の公報等の公知の文献に記載されている。
【００４７】
露光時と検査時とで、マスク１０，９０の保持状態は、重力方向が逆となるため、この重力によるたわみに起因してパターン面９０ａの位置座標に誤差が生じる。この誤差は、予測計算しておいた計算値を用いて補正される。このような計算は、例えばＩ−ｄｅａｓといった市販の構造解析ソフトウェアを用いて行うことができる。
【００４８】
あるいは、マスク９０と同形状の他のマスクで予め計測しておいた誤差計測結果に基づいて補正してもよい。詳しくは、マスク９０と同形状の他のマスクについて、パターン面を上にした場合と下にした場合との両方の状態で重力によるたわみの変化量を予め測定しておく。この計測結果に基づいて検査時に計測したパターン面の位置座標を補正することができる。
【００４９】
また、重力のみによるマスク９０のたわみ（マスク基板の変形量）は、変形解析等の結果から容易に予測可能である。このため、マスク９０は、上述の計算値や他のマスク基板での計測値（誤差計測結果）を用いずに、マスク９０の検査結果を補正することも可能である。
【００５０】
求められたマスク９０のパターンの位置座標は、予め検査装置の記憶部（図示せず）に記憶されているパターンに関するデータと比較されてパターン位置座標精度や欠陥等の検査が行われる。
【００５１】
第一の実施の形態によれば、マスク検査装置のマスク９０は、露光装置で保持されるマスク１０（図６）の面と同一の面を保持するので、両マスク１０，９０の保持力に起因する歪みが近似した状態となる。これにより、マスク検査で得られるデータの信頼性が向上する。さらには、露光装置による露光精度を向上させることができる。
【００５２】
次に、本発明の第二の実施形態について説明する。
図２は、本発明の第二の実施形態にかかるマスク検査装置を概略的に示す図である。
このマスク検査装置は、第一実施形態とほぼ同様に、マスク１００を保持するマスク保持装置（チャック）１０１ｂと、マスク１００のパターン面１００ａの像を取得してこれを処理する検査手段（レンズ１０２，検出器１０３等）とを備える。レンズ１０２は、図示せぬ光源からレーザー等の光をマスク１００のパターン面１００ａにフォーカスさせる。検出器１０３は、パターン面１００ａからの反射光を検出する。検査手段の詳細については、前述の公報を参照されたい。
【００５３】
この第二の実施形態の特徴は、検査手段が、マスク保持装置１０１ｂの下方に設けられていることである。すなわち、図２の検査装置においては、マスク保持装置（チャック）１０１ｂの保持面（吸着面）１０１ｃが上向きとなっており、この面１０１ｃにマスク１００の保持部（外周縁部）５０の下面５０ａが吸着される。そして、マスク１００のパターン面１００ａは下向きとなっており、マスク１００は、露光装置におけるマスク１０（図６参照）と重力方向が同じ状態（上下関係が同じ）で保持される。これにより、マスク検査装置でのマスク１００は、露光装置でのマスク１０と全く同じ状態でチャック１０１ｂに保持されることとなる。上述の保持される面５０ａをマスク検査装置のチャック１０１ｂへの吸着面（保持面）という。
【００５４】
なお、第二の実施の形態でも、第一の実施形態と同様に、マスク検査装置の保持面１０１ｃの形状は、露光装置の保持面１１ｃの形状とほぼ同じであり、両保持面１１ｃ，１０１ｃの保持力もほぼ同じである。
【００５５】
この第二の実施の形態によれば、マスク１００は、露光時のマスク１０と保持状態が同じなので、チャック吸着力に起因するたわみも、重力によるたわみも、検査時と露光時で同じになる。よって、露光装置でのマスク１０の保持状態と極めて近似した状態で、マスク１００の検査を行え、得られるデータの信頼性が一層向上する。
【００５６】
尚、第一及び第二実施の形態において、検査手段の光源としてレーザーを用いたが、電子線等の荷電粒子線を用いてもよい。
【００５７】
【発明の効果】
本発明によれば、マスク検査装置で得られるデータの信頼性が向上し、荷電粒子線露光装置による露光精度が向上する。
【図面の簡単な説明】
【図１】本発明の第一の実施形態にかかるマスク検査装置を概略的に示す図である。
【図２】本発明の第二の実施形態にかかるマスク検査装置を概略的に示す図である。
【図３】従来からのマスク検査装置を概略的に示す模式図である。
【図４】分割転写方式の電子線投影露光装置の光学系全体における結像関係及び制御系を示す図である。
【図５】電子線投影露光用のレチクルの構成例を模式的に示す図
【図６】電子線露光装置内に保持されたマスクと投影光学系を示す概略図。
【符号の説明】
１　電子銃　　　　　　　　　　　　　　　　２，３　コンデンサレンズ
２ａ，３ａ，５ａ，８ａ，９ａ，１６ａ，１９ａ　コイル電源制御部
４　矩形開口　　　　　　　　　　　　　　　５，８　偏向器
７　開口　　　　　　　　　　　　　　　　　９　照明レンズ
１０，９０，１００　マスク（レチクル）
１０ａ，９０ａ，１００ａ　パターン面
１１　レチクルステージ　　　　　　　　　　１１ａ，２４ａ　ステージ制御部
１１ｃ，７１ｃ，９１ｃ，１０１ｃ　保持面
１１ｂ，７１ｂ，９１ｂ，１０１ｂ　マスク保持装置
１２，２５　ステージ位置検出器　　　　　　１５、１９　投影レンズ
１６　像位置調整偏向器　　　　　　　　　　１８　コントラスト開口
２２　反射電子検出器　　　　　　　　　　　２３　ウェハ
２４　ウェハステージ　　　　　　　　　　　３１　コントローラー
４１　小メンブレン領域　　　　　　　　　　４２　サブフィールド
４３　非パターン領域（スカート）　　　　　４４　エレクトリカルストライプ
４５　グリレージ　　　　　　　　　　　　　４７　ストラット（支持体層）
４９　メカニカルストライプ　　　　　　　　５０　保持部
５０ａ，５０ｂ　吸着面（保持面）　　　　　７１，９１　ＸＹステージ
７２，９２，１０２　対物レンズ　　　　　　７３，９３，１０３　検出器
【図１】
2004094068.tif 000003
【図２】
2004094068.tif 000004
【図３】
2004094068.tif 000005
【図４】
2004094068.tif 000006
【図５】
2004094068.tif 000007
【図６】
2004094068.tif 000008